(57)【要約】【課題】マスク本体部を展開して収容することが不可能で２つに折り畳んで衛生的に収容できるマスクケースを提供する。【解決手段】折り畳まれた四角片２ｃから２ｆの上辺部及び右辺部が互いに分離して前後方向に隣接配置され、最も前側に配置された四角片２ｃの上辺部と右辺部との交差する隅部２ｇが三角形となるように四角片２ｃの内側に折り畳まれて糸２ｈで縫製され、四角片２ｃと２ｄとの間で形成され上方開口を有する収容部と四角片２ｄと２ｅとの間で形成され上方開口を有する収容部と四角片２ｅと２ｆとの間で形成され上方開口を有する収容部とからなる３個の収容部がマスク本体部３ａを展開して収容することが不可能な大きさでかつ２つに折り畳んで前記上方開口から収容可能な大きさで前後方向に隣接配置されている。最も前側に配置された四角片の上辺部と左辺部との交差する隅部が三角形となるように四角片の内側に折り畳まれて縫製されてもよい。【選択図】図１
2022001156.tif 000002
【特許請求の範囲】
【請求項１】
１枚の四角形の生地が当該生地の四角形の１／２の大きさの２つの四角片となるように２つに折り畳まれ、この折り畳まれた１／２の大きさの２つの四角片が前記生地の四角形の１／４の大きさの４つの四角片となるように２つに折り畳まれ、この折り畳まれた４つの四角片が前後方向に隣接配置された構造において最も前側に配置された１／４の四角片の上辺部及び右辺部との交差する隅部が三角形となるように当該最も前側に配置された１／４の四角片の内側に折り畳まれ、この折り畳まれた隅部の折り畳まれた部分以外の２辺部が前記最も前側に配置された１／４の四角片の対応する部分に縫製される一方、前記４つの折り畳まれた１／４の四角片において右辺部及び左辺部が上下方向に個別に縫製されたことにより、前記隅部が最も前側に配置された１／４の四角片の右上側に位置し、前記４つの１／４の大きさの四角片からなる３個の収容部がマスク本体部を展開して収容することが不可能な大きさでかつ２つに折り畳んで上方開口から収容可能な大きさで前後方向に隣接配置されたことを特徴とするマスクケース。
【請求項２】
前記４つの折り畳まれた１／４の四角片の互いに分離した右辺部の前記隅部より上部を縫わないで残し、前記４つの折り畳まれた１／４の四角片の互いに分離した左辺部の上部を縫わないで残したことを特徴とする請求項１記載のマスクケース。
【請求項３】
１枚の四角形の生地が当該生地の四角形の１／２の大きさの２つの四角片となるように２つに折り畳まれ、この折り畳まれた１／２の大きさの２つの四角片が前記生地の四角形の１／４の大きさの４つの四角片となるように２つに折り畳まれ、この折り畳まれた４つの１／４の四角片が前後方向に隣接配置された構造において最も前側に配置された１／４の四角片の上辺部及び左辺部との交差する隅部が三角形となるように当該１／４の四角片の内側に折り畳まれ、この折り畳まれた隅部の折り畳まれた部分以外の２辺部が前記最も前側に配置された１／４の四角片の対応する部分に縫製される一方、前記４つの折り畳まれた１／４の四角片において互いに分離した左辺部及び右辺部が上下方向に個別に縫製されたことにより、前記隅部が最も前側に配置された１／４の四角片の左上側に位置し、前記４つの１／４の大きさの四角片からなる３個の収容部がマスク本体部を展開して収容することが不可能な大きさでかつ２つに折り畳んで前記上方開口から収容可能な大きさで前後方向に隣接配置されたことを特徴とするマスクケース。
【請求項４】
前記４つの折り畳まれた１／４の四角片の互いに分離した左辺部の前記隅部より上部を縫わないで残し、前記４つの折り畳まれた１／４の四角片の互いに分離した右辺部の上部を縫わないで残したことを特徴とする請求項３記載のマスクケース。
【発明の詳細な説明】
【技術分野】
【０００１】
本発明は、医療用マスクや家庭用マスク等の飛沫防止用マスクのマスク本体部を２つに折り畳んで収容するマスクケースに関する。
【背景技術】
【０００２】
特許文献１で開示されたマスクケースは飛沫防止用マスクのマスク本体部を２つに折り畳まずに平坦状に展開したまま収容する構造になっているので、マスク本体部の人の口や鼻に触れる側がマスクケースに接触し、不衛生である。
【先行技術文献】
【特許文献】
【０００３】
【特許文献１】実用新案登録第３２２２１０３号公報
【発明の概要】
【発明が解決しようとする課題】
【０００４】
本発明は、上記背景技術に鑑みてなされたものであり、飛沫防止用マスクのマスク本体部の人の口や鼻に触れる側がマスクケースに接触しないように２つに折り畳んで衛生的に収容することができるマスクケースの提供を目的とする。
【課題を解決するための手段】
【０００５】
本発明は、１枚の四角形の生地が当該生地の四角形の１／２の大きさの２つの四角片となるように２つに折り畳まれ、この折り畳まれた１／２の大きさの２つの四角片が前記生地の四角形の１／４の大きさの４つの四角片となるように２つに折り畳まれ、この折り畳まれた４つの１／４の四角片が前後方向に隣接配置された構造において最も前側に配置された１／４の四角片の上辺部及び右辺部との交差する隅部が三角形となるように当該最も前側に配置された１／４の四角片の内側に折り畳まれ、この折り畳まれた隅部の折り畳まれた部分以外の２辺部が前記最も前側に配置された１／４の四角片の対応する部分に縫製される一方、前記４つの折り畳まれた１／４の四角片において互いに分離した右辺部及び左辺部が上下方向に個別に縫製されたことにより、前記隅部が最も前側に配置された１／４の四角片の右上側に位置し、前記４つの１／４の大きさの四角片からなる３個の収容部がマスク本体部を展開して収容することが不可能な大きさでかつ２つに折り畳んで上方開口から収容可能な大きさで前後方向に隣接配置されたことを特徴とするか、又は、１枚の四角形の生地が当該生地の四角形の１／２の大きさの２つの四角片となるように２つに折り畳まれ、この折り畳まれた１／２の大きさの２つの四角片が前記生地の四角形の１／４の大きさの４つの四角片となるように２つに折り畳まれ、この折り畳まれた４つの１／４のが前後方向に隣接配置された構造において最も前側に配置された１／４の四角片の上辺部及び左辺部との交差する隅部が三角形となるように当該１／４の四角片の内側に折り畳まれ、この折り畳まれた隅部の折り畳まれた部分以外の２辺部が前記最も前側に配置された１／４の四角片の対応する部分に縫製される一方、前記４つの折り畳まれた１／４の四角片において互いに分離した左辺部及び右辺部が上下方向に個別に縫製されたことにより、前記隅部が最も前側に配置された１／４の四角片の左上側に位置し、前記４つの１／４の大きさの四角片からなる３個の収容部がマスク本体部を展開して収容することが不可能な大きさでかつ２つに折り畳んで前記上方開口から収容可能な大きさで前後方向に隣接配置されたことを特徴とする。
【発明の効果】
【０００６】
本発明は、１枚の四角形の生地が当該生地の四角形の１／２の大きさの２つの四角片となるように２つに折り畳まれ、この折り畳まれた１／２の大きさの２つの四角片が前記生地の四角形の１／４の大きさの４つの四角片となるように２つに折り畳まれ、この折り畳まれた４つの１／４の四角片が前後方向に隣接配置された構造において最も前側に配置された１／４の四角片の上辺部及び右辺部との交差する隅部が三角形となるように当該最も前側に配置された１／４の四角片の内側に折り畳まれ、この折り畳まれた隅部の折り畳まれた部分以外の２辺部が前記最も前側に配置された１／４の四角片の対応する部分に縫製される一方、前記４つの折り畳まれた１／４の四角片において互いに分離した右辺部及び左辺部が上下方向に個別に縫製されたことにより、前記隅部が最も前側に配置された１／４の四角片の右上側に位置し、前記４つの１／４の大きさの四角片からなる３個の収容部がマスク本体部を展開して収容することが不可能な大きさでかつ２つに折り畳んで上方開口から収容可能な大きさで前後方向に隣接配置されたことを特徴とすることにより、縫製された隅部が最も前側に配置された１／４の四角片の右上側に位置しているので、右利きの人が２つの折り畳んだマスク本体部を三角形の隅部を有する１／４の大きさの四角形と１／４の大きさの四角形との間で構成された収容部に収容するときに当該収容部の右側が開くと共にマスク本体部が隅部で収容部に案内されて便利である。又、マスクケースの収容部がマスク本体部を展開して収容することが不可能な大きさでかつ２つに折り畳んで上方開口から収容可能な大きさになっているので、使用状態においてマスク本体部の人の口や鼻に触れる側を内側となるようにマスク本体部が２つに折り畳まれてマスクケース１の収容部に収容されることにより、マスク本体部の口や鼻に触れる側がマスクケースに触れることがなく衛生的である。
【０００７】
又は、本発明は、１枚の四角形の生地が当該生地の四角形の１／２の大きさの２つの四角片となるように２つに折り畳まれ、この折り畳まれた１／２の大きさの２つの四角片が前記生地の四角形の１／４の大きさの４つの四角片となるように２つに折り畳まれ、この折り畳まれた４つの１／４の四角片が前後方向に隣接配置された構造において最も前側に配置された１／４の四角片の上辺部及び左辺部との交差する隅部が三角形となるように当該１／４の四角片の内側に折り畳まれ、この折り畳まれた隅部の折り畳まれた部分以外の２辺部が前記最も前側に配置された１／４の四角片の対応する部分に縫製される一方、前記４つの折り畳まれた１／４の四角片において互いに分離した左辺部及び右辺部が上下方向に個別に縫製されたことにより、前記隅部が最も前側に配置された１／４の四角片の左上側に位置し、前記４つの１／４の大きさの四角片からなる３個の収容部がマスク本体部を展開して収容することが不可能な大きさでかつ２つに折り畳んで前記上方開口から収容可能な大きさで前後方向に隣接配置されたことを特徴とすることにより、縫製された隅部が最も前側に配置された１／４の四角片の左上側に位置しているので、左利きの人が２つに折り畳まれたマスク本体部を、隅部の形成された１／４の大きさの四角形と１／４の大きさの四角形との間で構成された収容部に収容するときに当該収容部の左側が開くと共にマスク本体部が隅部で案内されて収容部に収容されるので、便利である。又、マスクケースの収容部がマスク本体部を展開して収容することが不可能な大きさでかつ２つに折り畳んで上方開口から収容可能な大きさになっているので、使用状態においてマスク本体部の人の口や鼻に触れる側を内側となるようにマスク本体部が２つに折り畳まれてマスクケースの収容部に収容されることにより、マスク本体部の人の口や鼻に触れる側がマスクケースに触れることがなく衛生的である。
【図面の簡単な説明】
【０００８】
【図１】発明を実施するための形態１に係るマスクケースの構造を示すものであって、ａ図は１枚の四角形の生地を示す斜視図、ｂ図は生地の四角形の１／２の大きさの２つの四角片となるように２つに折り畳まれた態様を示す斜視図、ｃ図は生地の四角形の１／２の大きさの四角片が生地の四角形の１／４の大きさの４つの四角片となるように２つに折り畳まれた態様を示す斜視図、ｄ図はマスクケース及び２つに折り畳まれた飛沫防止用マスクを示す斜視図。
【図２】ａ図からｅ図は発明を実施するための形態１に係るマスクケースの作り方を工程図。
【図３】発明を実施するための形態２に係るマスクケースの構造を示すものであって、ａ図は１枚の四角形の生地を示す斜視図、ｂ図は生地の四角形の１／２の大きさの２つの四角片となるように２つに折り畳まれた態様を示す斜視図、ｃ図は生地の四角形の１／２の大きさの四角片が生地の四角形の１／４の大きさの４つの四角片となるように２つに折り畳まれた態様を示す斜視図、ｄ図はマスクケース及び２つに折り畳まれた飛沫防止用マスクを示す斜視図。
【図４】ａ図からｅ図は発明を実施するための形態２に係るマスクケースの作り方を工程図。
【発明を実施するための形態】
【０００９】
図１を用いて発明を実施するための形態１に係るマスクケース１の構造を説明する。マスクケース１は、図１のａ図に示した１枚の四角形の生地２が図１のｂ図に示すように生地２の四角形の１／２の大きさの２つの四角片２ａと２ｂとなるように２つに折り畳まれ、この折り畳まれた１／２の大きさの四角片２ａと２ｂが図１のｃ図に示すように生地２の四角形の１／４の大きさの４つの四角片２ｃと２ｄと２ｅ及び２ｆとなるように２つに折り畳まれ、この折り畳まれた四角片２ｃから２ｆの上辺部及び右辺部が互いに分離して前後方向に隣接配置された構造において最も前側に配置された四角片２ｃの上辺部と右辺部との交差する隅部２ｇが図１のｄ図に仮想線と実線とで示した三角形となるように四角片２ｃの内側に折り畳まれ、この折り畳まれた隅部２ｇの折り畳み部分以外の上辺部及び右辺部からなる２辺部が前記最も前側に配置された四角片２ｃの対応する部分に図１のｄ図に点線で示すように糸２ｈで縫製されている。隅部２ｇが四角片２ｃに設けられたことにより、四角片２ｃは具体的には五角片になっているが、以下の説明においても四角片２ｃと表現する。一方、前記折り畳まれた四角片２ｃから２ｆにおいて互いに分離した右辺部及び２つに折り畳まれて分離した左辺部が上下方向に個別に図１のｄ図に点線で示すように糸２ｉと２ｊとで縫製されている。生地２は布等の縫製可能な材料からなるのであれば適用可能で、表面に印伝風の柄を付した布であれば見栄えが良い。
【００１０】
これにより、マスクケース１は、図１のｄ図に示すように、前記隅部２ｇが最も手前で右上側に位置し、１／４の大きさの四角片２ｃから２ｆからなる３個の収容部が左右辺部及び下辺部を閉じられていると共にマスク本体３ａを展開して収容することが不可能な大きさでかつ２つに折り畳んで上方開口から収容可能な大きさで前後方向に隣接配置された構造になっている。四角片２ｃから２ｆからなる３個の収容部の内で最も前側に配置された収容部は、四角片２ｃと２ｄとの間で構成されている。四角片２ｃから２ｆからなる３個の収容部の内で真中に配置された収容部は、四角片２ｄと四角片２ｅとの間で構成されている。四角片２ｃから２ｆからなる３個の収容部の内で最も後側に配置された収容部は、四角片２ｅと２ｆとの間で構成されている。
【００１１】
飛沫防止用マスク３は、図１のｄ図に示すように、人の口と鼻とを覆うマスク本体部３ａとマスク本体部３ａの左右両側に装着された耳掛け部３ｂと３ｃとからなっている。よって、マスクケース１の収容部に収容さる飛沫防止用マスクが２つに折り畳まれた態様は、マスク本体部３ａの左右側部が互いに向かい合わせられるように２つに折り畳まれた態様である。マスクケース１は、図１のｄ図に示すように、縫製された三角形の隅部２ｇが最も前側に配置された四角片２ｃの右上側に位置しているので、右利きの人が使用中の飛沫防止用マスク３を顔から外してマスク本体部３ａを左右側部が互いに向かい合わせられるように２つに折り畳み、この折り畳んだ飛沫防止用マスク３を四角形２ｃと２ｄとの間で構成された収容部に上部開口より収容するときに当該収容部の右側が開くと共に隅部２ｇで収容部に案内されて便利である。又、マスクケース１の収容部が飛沫防止用マスク３におけるマスク本体部３ａを展開して収容することが不可能な大きさでかつ２つに折り畳んで上方開口から収容可能な大きさになっているので、使用状態においてマスク本体部３ａの人の口や鼻に触れる側が内側となるようにマスク本体部３ａが左右側部を互いに向かい合わせられるように２つに折り畳まれてマスクケース１の収容部に収容されることにより、マスク本体部３ａの口や鼻に触れる側がマスクケース１に触れることがなく衛生的である。このように使用中の飛沫防止用マスク３が隅部２ｇを有する収容部に収容されることにより、使用中の飛沫防止用マスク３を把握しやすい。四角片２ｄと四角片２ｅとの間で構成された収容部及び四角片２ｅと四角片２ｄとの間で構成された収容部のそれぞれには、予備としての未使用の飛沫防止用マスク３或いはポケットティッシュを収容すればよい。糸２ｉによる縫製範囲は、左辺部の上下範囲の全域を縫製してもよいが、図１のｄ図に示すように、左辺部の上部を縫わないで残したことにより四角片２ｄと四角片２ｅとの間で構成された収容部への物の収容が容易になる。又、糸２ｊによる縫製範囲は、右辺部の上下範囲の全域を縫製してもよいが、図１のｄ図に示すように、右辺部の隅部２ｇより上部を縫わないで残したことにより３つの収容部への物の収容が容易になる。尚、糸２ｉによる左辺部の上部を縫わないで残した範囲は、糸２ｊによる右辺部の隅部２ｇより上部を縫わないで残した範囲の１／２以下になっているので、糸２ｉによる左辺部の上部が開き過ぎることがなく見栄えが良い。
【００１２】
図２を用いて、発明を実施するための形態１に係るマスクケース１の作り方を説明する。図２のａ図とｂ図及びｃ図は、１枚の四角形の生地２を裏面側より見た状態である。図２のａ図に示した１枚の四角形の生地２における左右辺部及び上下辺部からなる４辺部のそれぞれが図２のｂ図に示すように帯状に生地２の裏面側に２つに折り畳まれ、この２つに折り畳まれた４辺部の帯状部分が生地２の当該帯状部分と対応する部分に図示のされていない糸で縫い付けられ、生地２の４辺部に縁取り２ｋが仕立てられる。縁取り２ｋが仕立てられたことにより、生地２が布等のようにほつれを招くような素材であっても生地２の４辺部でのほつれの発生を防止できる。縁取り２ｋは、バイアステープ等の生地２とは別部材を用いて仕立てられてもよいが、上記のように生地２の４辺部を帯状に２つに折り畳んで糸で縫製することにより、生地２とは別部材を用いた場合よりも、簡単に製造することができる。
【００１３】
次に、生地２の左上側の隅部２ｇが図２のｂ図に示した斜線からなる折れ線２ｍに沿い図２のｃ図に示すように三角形となるように生地２の裏面側に２つに折り畳まれ、この折り畳まれた隅部２ｇの折り畳み部分以外の２辺部が生地２の隅部２ｇと対応する部分に図示のされていない糸で縫製される。生地２が図２のｄ図やｅ図に示すように折り畳まれるよりも以前において、隅部２ｇが図２のｃ図に示すように折り畳まれると共に縫製されたことにより、隅部２ｇの製造が容易になる。その後、生地２の隅部２ｇを有する左側部分２ｎが図２のｃ図に示した左右方向の中心に位置する縦線からなる折れ線２ｐに沿い生地２の裏面側に２つに折り畳まれて図２のｄ図に示すように生地２の折れ線２ｎよりも右側部分２ｑに重ね合わされる。この図２のｄ図に示した状態では、生地２の左側部分２ｎの裏面と生地２の右側部分２ｑの裏面とが互いに重ね合わされ、隅部２ｇの表面が生地２の右側部分２ｑの裏面に重ね合わされている。
【００１４】
最後に、図２のｄ図に示した上下方向の中心に位置する横線からなる折れ線２ｒよりも下側部分２ｓが折れ線２ｒに沿い隅部２ｇが表側となるように２つに折り畳まれて図２のｅ図に示すように生地２の折れ線２ｒよりも上側部分２ｔに裏側より重ね合わされることにより、マスクケース１が製造される。四角形の生地２が図２のａ図からｅ図に示す折り畳みと共に縫製が行われることにより製造されたマスクケース１は、図１のｄ図に示すように隅部２ｇが最も前側に配置された四角片２ｃの右上側に位置し、上方開口を有する１／４の大きさの四角形の３個の収容部が飛沫防止用マスク３を２つに折り畳んで前記上方開口から収容可能な大きさで前後方向に隣接配置された構造になっている。図２のｄ図に示した四角片２ｔは図１のｄ図に示した四角片２ｃと同じである。
【００１５】
図３を用いて発明を実施するための形態２に係るマスクケース１０の構造を説明する。マスクケース１０は、図３のａ図に示した１枚の四角形の生地２０が図３のｂ図に示すように生地２０の四角形の１／２の大きさの２つの四角片２０ａと２０ｂとなるように２つに折り畳まれ、この折り畳まれた１／２の大きさの四角片２０ａと２０ｂが図３のｃ図に示すように生地２０の四角形の１／４の大きさの４つの四角片２０ｃと２０ｄと２０ｅ及び２０ｆになるように２つに折り畳まれ、この折り畳まれた１／４の大きさの四角片２０ｃから２０ｆの上辺部及び左辺部が互いに分離して前後方向に隣接配置された構造において最も前側に配置された四角片２０ｃの上辺部と左辺部との交差する隅部２０ｇが図３のｄ図に仮想線と実線とで示した三角形となるように四角片２０ｃの内側に折り畳まれ、この折り畳まれた隅部２０ｇの折り畳み部分以外の２辺部が前記最も前側に配置された四角片２０ｃの対応する部分に図３のｄ図に点線で示すように糸２０ｈで縫製されている。隅部２０ｇが四角片２０ｃに設けられたことにより、四角片２０ｃは具体的には五角形になっているが、以下の説明においても１／４の四角片２０ｃと表現する。一方、折り畳まれた１／４の四角片２０ｃから２０ｆにおいて互いに分離した左辺部及び２つに折り畳まれて分離した左辺部が上下方向に個別に図３のｄ図に点線で示すように糸２０ｉと２０ｊとで縫製されている。生地２０は布等の縫製可能な材料からなるのであれば適用可能で、表面に印伝風の柄を付した布であれば見栄えが良い。
【００１６】
これにより、マスクケース１０は、図３のｄ図に示すように、前記縫製された隅部２０ｇが最も前側に配置された四角片２０ｃの左上側に位置し、四角片２０ｃから２０ｆからなる３個の収容部が左右辺部及び下辺部を閉じられかつマスク本体部３ａを展開して収容することが不可能な大きさでかつ２つに折り畳んで上方開口から収容可能な大きさで前後方向に隣接配置された構造になっている。四角片２０ｃから２０ｆからなる３個の収容部の内で最も前側に配置された収容部は、四角片２０ｃと２０ｄとの間で構成されている。四角片２ｃから２ｆからなる３個の収容部の内で真中に配置された収容部は、四角片２０ｄと２０ｅとの間で構成されている。四角片２ｃから２ｆからなる３個の収容部の内で最も後側に配置された収容部は、四角片２０ｅと２０ｆとの間で構成されている。
【００１７】
飛沫防止用マスク３は、図３のｄ図に示すように、人の口と鼻とを覆うマスク本体部３ａとマスク本体部３ａの左右両側に装着された耳掛け部３ｂと３ｃとからなっている。よって、マスクケース１０の収容部に収容さる飛沫防止用マスクが２つに折り畳まれた態様は、マスク本体部３ａの左右側部が互いに向かい合わせられるように２つに折り畳まれた態様である。マスクケース１０は、図３のｄ図に示すように、隅部２０ｇが最も手前で左上側に位置しているので、左利きの人が２つに折り畳まれた飛沫防止用マスク３を、四角片２０ｃと２０ｄとの間で構成された収容部に上部開口より収容するときに当該収容部の左側が開くと共にマスク本体部３ａが隅部２ｇで案内されて収容部に収容されるので、便利である。又、マスクケース１０の収容部がマスク本体部３ａを展開して収容することが不可能な大きさでかつ２つに折り畳んで上方開口から収容可能な大きさになっているので、使用状態においてマスク本体部３ａの人の口や鼻に触れる側が内側となるようにマスク本体部３ａを２つに折り畳んでマスクケース１０の収容部に収容することにより、マスク本体部３ａの口や鼻に触れる側がマスクケース１０に触れることがなく衛生的である。糸２０ｉによる縫製範囲は、右辺部の上下範囲の全域を縫製してもよいが、図３のｄ図に示すように、右辺部の上部を縫わないで残したことにより四角片２０ｄと四角片２０ｅとの間で構成された収容部への物の収容が容易になる。又、糸２０ｊによる縫製範囲は、左辺部の上下範囲の全域を縫製してもよいが、図３のｄ図に示すように、右辺部の隅部２０ｇより上部を縫わないで残したことにより３つの収容部への物の収容が容易になる。尚、糸２０ｉによる右辺部の上部を縫わないで残した範囲は、糸２０ｊによる左辺部の隅部２０ｇより上部を縫わないで残した範囲の１／２以下になっているので、糸２０ｉによる右辺部の上部が開き過ぎることがなく見栄えが良い。
【００１８】
図４を用いて、発明を実施するための形態１に係るマスクケース１０の作り方を説明する。図４のａ図とｂ図及びｃ図は、１枚の四角形の生地２０を裏面側より見た状態である。図４のａ図に示した１枚の四角形の生地２０における左右辺部及び上下辺部からなる４辺部のそれぞれが図４のｂ図に示すように帯状に生地２０の裏面側に２つに折り畳まれ、この２つに折り畳まれた４辺部の帯状部分が生地２０の当該帯状部分と対応する部分に図示のされていない糸で縫い付けられ、生地２０の４辺部に縁取り２０ｋが仕立てられる。縁取り２０ｋが仕立てられたことにより、生地２０が布等のようにほつれを招くような素材であっても生地２０の４辺部でのほつれの発生を防止できる。縁取り２０ｋは、バイアステープ等の生地２０とは別部材を用いて仕立てられてもよいが、上記のように生地２０の４辺部を帯状に２つに折り畳んで糸で縫製することにより、生地２０とは別部材を用いた場合よりも、簡単に製造することができる。
【００１９】
次に、生地２０の右上側の隅部２０ｇが図４のｂ図に示した斜線からなる折れ線２０ｍに沿い図４のｃ図に示すように三角形となるように生地２０の裏面側に２つに折り畳まれ、隅部２０ｇの折り畳み部分以外の２辺部が生地２０の当該隅部２０ｇと対応する部分に図示のされていない糸で縫製される。生地２０が図４のｄ図やｅ図に示すように折り畳まれるよりも以前において、隅部２０ｇが図４のｃ図に示すように折り畳まれると共に縫製されたことにより、隅部２０ｇの製造が容易になる。その後、生地２０の隅部２０ｇを有する左側部分２０ｎが図４のｃ図に示した左右方向の中心に位置する縦線からなる折れ線２０ｐに沿い生地２０の裏面側に２つに折り畳まれて図４のｄ図に示すように生地２０の折れ線２０ｎよりも右側部分２０ｑに重ね合わされる。この図４のｄ図に示した状態では、生地２０の左側部分２０ｎの裏面と生地２０の右側部分２０ｑの裏面とが互いに重ね合わされ、隅部２０ｇの表面が生地２０の左側部分２０ｎの裏面に重ね合わされている。
【００２０】
最後に、図４のｄ図に示した上下方向の中心に位置する横線からなる折れ線２０ｒよりも下側部分２０ｓが折れ線２０ｒに沿い隅部２０ｇが表側となるように２つに折り畳まれて図４のｅ図に示すように生地２０の折れ線２０ｒよりも上側部分２０ｔに裏側より重ね合わされることにより、マスクケース１０が製造される。四角形の生地２０が図４のａ図からｅ図に示す折り畳みと共に縫製が行われることにより製造されたマスクケース１０は、図１のｄ図に示すように三角形の隅部２０ｇが最も前側に配置された四角片２０ｔの左上側に位置し、上方開口を有する１／４の大きさの四角形の３個の収容部がマスク本体部３ａを２つに折り畳んで前記上方開口から収容可能な大きさで前後方向に隣接配置された構造になっている。図４のｄ図に示した四角片２０ｔは図３のｄ図に示した四角片２０ｃと同じである。
【符号の説明】
【００２１】
１                マスクケース
２                生地
２ａから２ｆ      四角片
２ｇ              隅部
３                飛沫防止用マスク
３ａ              マスク本体部
３ｂ；３ｃ        耳掛け部
１０              マスクケース
２０              生地
２０ａから２０ｆ  四角片
２０ｇ            隅部
【図１】
2022001156.tif 000003
【図２】
2022001156.tif 000004
【図３】
2022001156.tif 000005
【図４】
2022001156.tif 000006